(57)【特許請求の範囲】
【請求項１】
（ａ）相手側コネクタ（３０）と嵌合するコネクタ本体（１１）と、
（ｂ）該コネクタ本体（１１）から突出し、回路基板（４１）の接続孔（４１ａ、４１ｂ）に挿入されてはんだ付される複数本の端子（２０ａ、２０ｂ）とを有する基板用コネクタ（１０）であって、
（ｃ）前記端子（２０ａ、２０ｂ）は、前記コネクタ本体（１１）に保持され、前記相手側コネクタ（３０）の端子（３３）と接触する腕部（２１ａ、２１ｂ）、前記接続孔（４１ａ、４１ｂ）に挿入される脚部（２４ａ、２４ｂ）、及び、前記腕部（２１ａ、２１ｂ）と脚部（２４ａ、２４ｂ）とを接続する屈曲部（２３ａ、２３ｂ）を備え、
（ｄ）全長の長い端子（２０ａ）の屈曲部（２３ａ）は中心角が９０度の弧を描くように形成され、
（ｅ）全長の短い端子（２０ｂ）の屈曲部（２３ｂ）は中心角が９０度を超える弧を描くように形成され、
（ｆ）前記腕部（２１ａ、２１ｂ）は回路基板（４１）に平行な方向に延在し、前記脚部（２４ａ、２４ｂ）は回路基板（４１）に対して直交する方向に延在することを特徴とする基板用コネクタ（１０）。
【請求項２】
（ａ）前記全長の短い端子（２０ｂ）の腕部（２１ｂ）は、全長の長い端子（２０ａ）の腕部（２１ａ）よりも前記回路基板（４１）に近い位置にあり、
（ｂ）前記全長の短い端子（２０ｂ）の脚部（２４ｂ）は、全長の長い端子（２０ａ）の脚部（２４ａ）よりも嵌合側にある請求項１に記載の基板用コネクタ（１０）。
【請求項３】
前記全長の短い端子（２０ｂ）の脚部（２４ｂ）は、前記屈曲部（２３ｂ）と逆方向に屈曲する逆屈曲部（２３ｃ）を介して前記屈曲部（２３ｂ）に接続されている請求項１に記載の基板用コネクタ（１０）。
【請求項４】
前記コネクタ本体（１１）は、反嵌合側に延在する側壁部（１３）及び庇部（１８）を備え、前記側壁部（１３）の反嵌合側の下端は、全長の長い端子（２０ａ）の脚部（２４ａ）よりも、前記コネクタ本体（１１）の嵌合側端面から離れた位置で回路基板（４１）の上面に当接し、前記庇部（１８）は、前記回路基板（４１）と平行であり、不正防止用板部材（４２）が載置される請求項１に記載の基板用コネクタ（１０）。
【発明の詳細な説明】
【技術分野】
【０００１】
本発明は、基板用コネクタに関するものである。
【背景技術】
【０００２】
従来、プリント回路基板等の基板に実装され、他の電気回路等と接続するために、基板用コネクタが使用されている（例えば、特許文献１参照。）。このような基板用コネクタは、コネクタ本体の後方に突出する複数のＬ字状端子を備える。
【０００３】
図５は従来の基板用コネクタを示す図である。
【０００４】
図に示されるように、基板用コネクタは、金属等の導電性材料から成る端子３０２及び３０３と、合成樹脂等の絶縁性材料から成り、前記端子３０２及び３０３を支持する箱状のコネクタハウジング３０４とを有する。なお、前記基板用コネクタは、いわゆるプラグコネクタであり、図示されないケーブルの先端に接続されたケーブル用のレセプタクルコネクタが嵌（かん）合される。
【０００５】
また、端子３０２及び３０３の各々は、コネクタハウジング３０４の後壁から後方に向けて突出し、全体としてほぼ直角に屈曲され、先端が下向きとなるようなＬ字状端子である。そして、下向きとなっている端子３０２及び３０３の先端が、回路基板３０５に形成されたスルーホール３０６及び３０７に各々挿入され、はんだ付されて接続される。これにより、端子３０２及び３０３は、スルーホール３０６及び３０７に接続された図示されない導電トレースに電気的に接続されるとともに、コネクタハウジング３０４を回路基板３０５に固定する機能を発揮する。
【０００６】
なお、子細に見ると、端子３０２及び３０３は、屈曲部３０２ａ及び３０３ａにおいて、鋭角に屈曲されている。これは、端子３０２及び３０３全体として、スプリングバックを相殺するためである。
【特許文献１】特開２００４−１９２８７１号公報
【発明の開示】
【発明が解決しようとする課題】
【０００７】
しかしながら、前記従来の基板用コネクタにおいては、スルーホール３０６及び３０７に接続された端子３０２及び３０３の下向きの部分からコネクタハウジング３０４の開口までの距離が長いので、嵌合されているケーブル用のレセプタクルコネクタに接続されているケーブルが引張られた場合に、コネクタハウジング３０４が回路基板３０５から浮上がってしまうことがある。
【０００８】
また、近年では、基板用コネクタ自体を小さくするとともに基板用コネクタの実装面積を小さくすることが要求されているが、はんだ付精度や回路基板についての技術的な制約から、スルーホール３０６とスルーホール３０７との間隔を所定距離以下にすることは困難である。そのため、端子３０２及び３０３の下向きの部分の間隔を短縮することができず、端子３０３の下向きの部分からコネクタハウジング３０４の開口までの距離が長くなり、基板用コネクタの実装範囲の長さ（図における横方向の寸法）を短縮することができず、実装面積を小さくすることができなかった。
【０００９】
本発明は、前記従来の基板用コネクタの問題点を解決して、全長の短い端子の屈曲部を中心角が９０度を超える弧を描くように形成し、端子の基板接続部の位置をハウジングの嵌合開口に接近させることによって、実装面積を小さくすることができ、外力を受けてもハウジングが基板から浮上がってしまったり、端子が基板から外れたりすることがない基板用コネクタを提供することを目的とする。
【課題を解決するための手段】
【００１０】
そのために、本発明の基板用コネクタにおいては、相手側コネクタと嵌合するコネクタ本体と、該コネクタ本体から突出し、回路基板の接続孔（こう）に挿入されてはんだ付される複数本の端子とを有する基板用コネクタであって、前記端子は、前記コネクタ本体に保持され、前記相手側コネクタの端子と接触する腕部、前記接続孔に挿入される脚部、及び、前記腕部と脚部とを接続する屈曲部を備え、全長の長い端子の屈曲部は中心角が９０度の弧を描くように形成され、全長の短い端子の屈曲部は中心角が９０度を超える弧を描くように形成され、前記腕部は回路基板に平行な方向に延在し、前記脚部は回路基板に対して直交する方向に延在する。
【００１１】
本発明の他の基板用コネクタにおいては、さらに、前記全長の短い端子の腕部は、全長の長い端子の腕部よりも前記回路基板に近い位置にあり、前記全長の短い端子の脚部は、全長の長い端子の脚部よりも嵌合側にある。
【００１２】
本発明の更に他の基板用コネクタにおいては、さらに、前記全長の短い端子の脚部は、前記屈曲部と逆方向に屈曲する逆屈曲部を介して前記屈曲部に接続されている。
【００１３】
本発明の更に他の基板用コネクタにおいては、さらに、前記コネクタ本体は、反嵌合側に延在する側壁部及び庇部を備え、前記側壁部の反嵌合側の下端は、全長の長い端子の脚部よりも、前記コネクタ本体の嵌合側端面から離れた位置で回路基板の上面に当接し、前記庇部は、前記回路基板と平行であり、不正防止用板部材が載置される。
【発明の効果】
【００１４】
本発明によれば、基板用コネクタは、全長の短い端子の屈曲部を中心角が９０度を超える弧を描くように形成し、端子の基板接続部の位置をハウジングの嵌合開口に接近させるようになっている。そのため、実装面積を小さくすることができ、外力を受けてもハウジングが基板から浮上がってしまったり、端子が基板から外れたりすることがない。
【発明を実施するための最良の形態】
【００１５】
以下、本発明の実施の形態について図面を参照しながら詳細に説明する。
【００１６】
図１は本発明の実施の形態における基板用コネクタを示す斜視図、図２は本発明の実施の形態における基板用コネクタを示す短手方向断面図であり相手側コネクタと嵌合した状態を示す断面図である。
【００１７】
図１において、１０は本実施の形態における基板用コネクタであり、回路基板としての基板４１に実装され、相手側コネクタ３０と嵌合され、前記基板４１と相手側コネクタ３０に接続された装置とを電気的に接続する。なお、本実施の形態において、相手側コネクタ３０は、図２に示されるような断面円形の芯（しん）線３２を備えるケーブルを接続するためのものでなく、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等の平板状可撓（とう）性ケーブルを接続するためのものであってもよい。また、本実施の形態において、基板用コネクタ１０及び相手側コネクタ３０の各部の構成及び動作を説明するために使用される上、下、左、右、前、後等の方向を示す表現は、絶対的なものでなく相対的なものであり、基板用コネクタ１０及び相手側コネクタ３０が図に示される姿勢である場合に適切であるが、基板用コネクタ１０及び相手側コネクタ３０の姿勢が変化した場合には姿勢の変化に応じて変更して解釈されるべきものである。
【００１８】
そして、基板用コネクタ１０は、プラグコネクタであって、合成樹脂等の絶縁性材料によって一体的に形成され、前記相手側コネクタ３０と嵌合するコネクタ本体としてのハウジング１１と、該ハウジング１１の端子圧入部１６を貫通するように取付けられた金属製の第１端子２０ａ及び第２端子２０ｂとを有する。
【００１９】
前記ハウジング１１は概略直方体の箱状の形状を有し、相手側コネクタ３０と嵌合する側、すなわち、嵌合側の端面は、開放されており、相手側コネクタ３０と嵌合する嵌合開口１２として機能する。また、前記ハウジング１１の上面の嵌合開口１２寄りの側縁近傍には、相手側コネクタ３０の係合用腕部３５と係合して、ケーブルの端部と一体になった相手側コネクタ３０をロックするためのロック部材としての係合用膨出部１４が一体的に形成されている。さらに、該係合用膨出部１４には、係合用腕部３５の係合用突起部３５ａと係合する係合用開口部１４ａが形成されている。
【００２０】
ここで、前記第１端子２０ａは、全長の長い端子であり、合計１７本がピッチ２．０〔ｍｍ〕で、ハウジング１１内の上側に１列となるように配列されている。また、前記第２端子２０ｂは、全長の短い端子であり、合計１７本がピッチ２．０〔ｍｍ〕で、ハウジング１１内の下側に１列となるように配列されている。なお、前記第１端子２０ａ及び第２端子２０ｂの本数、ピッチ等は任意に変更することができる。
【００２１】
本実施の形態において、前記第１端子２０ａは、基板４１と平行な方向に延在し、相手側コネクタ３０の端子としての芯線用端子３３と先端部が接触する第１腕部２１ａ、該第１腕部２１ａの一部であってハウジング１１の端子圧入部１６に嵌合される第１突刺部２２ａ、第１腕部２１ａの後端縁に接続された第１屈曲部２３ａ、及び、基板４１と直交する方向に延在し、下端部が基板４１を貫通する第１脚部２４ａを備える。また、前記第２端子２０ｂは、基板４１と平行な方向に延在し、芯線用端子３３と先端が接触する第２腕部２１ｂ、該第２腕部２１ｂの一部であってハウジング１１の端子圧入部１６に嵌合される第２突刺部２２ｂ、第２腕部２１ｂの後端に接続された第２屈曲部２３ｂ、及び、基板４１と直交する方向に延在し、基板４１を貫通する第２脚部２４ｂを備える。なお、前記第１端子２０ａ及び第２端子２０ｂを統合的に説明する場合には、端子２０として説明し、さらに、各部を統合的に説明する場合には、各々、腕部２１、突刺部２２、屈曲部２３及び脚部２４として説明する。
【００２２】
なお、基板用コネクタ１０は、いわゆるライトアングルタイプのコネクタであり、図１及び２に示されるように、基板４１に平行な状態で、すなわち、嵌合開口１２が横を向いて開口し、端子圧入部１６が基板４１に垂直な状態で、該基板４１に端子２０の脚部２４をはんだ付することによって実装される。図示される例においては、嵌合開口１２が基板４１の側縁に沿うように実装されている。そして、第１腕部２１ａ及び第２腕部２１ｂは、基板４１と平行に延在し、その先端、すなわち、嵌合開口１２側端が芯線用端子３３と係合して接触する。なお、第１端子２０ａの全長が長く、第２端子２０ｂの全長は第１端子２０ａの全長より短くなっている。より詳細には、第１端子２０ａは、第１腕部２１ａ及び第１脚部２４ａの長さが長く、第２端子２０ｂは第２腕部２１ｂ及び第２脚部２４ｂの長さが第１端子２０ａの長さより短くなっている。なお、第１端子２０ａ及び第２端子２０ｂの太さは等しくなっている。
【００２３】
そして、第１端子２０ａは、第１腕部２１ａが基板４１から離れた高い位置にあり、第１脚部２４ａが反嵌合側、すなわち、後方（図２における右方）にあるようにハウジング１１に取付けられ、第２端子２０ｂは、第２腕部２１ｂが第１腕部２１ａよりも基板４１に近い低い位置にあり、第２脚部２４ｂが第１脚部２４ａよりも嵌合側、すなわち、前方（図２における左方）にあるようにハウジング１１に取付けられる。なお、第１腕部２１ａ及び第２腕部２１ｂの先端位置はほぼ同一鉛直面内にあり、第１脚部２４ａ及び第２脚部２４ｂの下端位置はほぼ同一水平面内にある。
【００２４】
また、図２に示されるように、前記ハウジング１１の端子圧入部１６には、該端子圧入部１６を貫通する第１端子嵌入孔１７ａ及び第２端子嵌入孔１７ｂが形成されており、第１突刺部２２ａは第１端子嵌入孔１７ａに嵌（はめ）込まれ、第２突刺部２２ｂは第２端子嵌入孔１７ｂに嵌込まれる。これにより、第１端子２０ａ及び第２端子２０ｂは端子圧入部１６に固定される。なお、第１端子２０ａ及び第２端子２０ｂを確実に保持するために、第１突刺部２２ａ及び第２突刺部２２ｂの表面には、第１端子嵌入孔１７ａ及び第２端子嵌入孔１７ｂの内面に食込むような凹凸を形成することが望ましい。また、第１突刺部２２ａ及び第２突刺部２２ｂ並びに第１端子嵌入孔１７ａ及び第２端子嵌入孔１７ｂの長さは、第１端子２０ａ及び第２端子２０ｂを保持する保持力を所定値以上とするために、所定長以上の長さであることが望ましい。さらに、第１端子２０ａを保持する保持力と第２端子２０ｂを保持する保持力とを同一とするために、第１突刺部２２ａ及び第１端子嵌入孔１７ａの長さと、第２突刺部２２ｂ及び第２端子嵌入孔１７ｂの長さとを同一とすることが望ましい。なお、前記第１端子嵌入孔１７ａ及び第２端子嵌入孔１７ｂを統合的に説明する場合には、端子嵌入孔１７として説明する。
【００２５】
そして、第１腕部２１ａは、第１突刺部２２ａよりも後方の後端部が端子圧入部１６から後方に突出して基板４１と平行に延在し、後端縁が第１屈曲部２３ａに接続される。該第１屈曲部２３ａは、第１腕部２１ａと第１脚部２４ａとを接続する部分であり、中心角が９０度の弧を描くように形成されている。そのため、第１腕部２１ａと第１脚部２４ａとは、第１屈曲部２３ａを介して、軸線が互いに直交するように接続され、第１脚部２４ａは、第１腕部２１ａの後端縁のやや後方の位置において上下方向に、すなわち、基板４１と垂直な方向に延在する。そして、第１脚部２４ａの下端部は基板４１に形成された接続孔としての第１スルーホール４１ａに挿入されて貫通する。なお、該第１スルーホール４１ａは、第１脚部２４ａの配列に対応した配列で、基板４１に形成され、図示されない導電トレースと電気的に接続されている。そして、第１脚部２４ａの下端部は、第１スルーホール４１ａを貫通した状態ではんだ付され、基板４１に形成された導電トレースと電気的に接続する基板接続部として機能する。さらに、第１脚部２４ａの下端部が第１スルーホール４１ａにはんだ付されることによって、基板用コネクタ１０が基板４１に固定される。
【００２６】
また、第２腕部２１ｂは第２突刺部２２ｂよりも後方の後端部を備えておらず、第２腕部２１ｂの後端縁に該当する第２突刺部２２ｂの後端縁が第２屈曲部２３ｂに接続される。該第２屈曲部２３ｂは、第２腕部２１ｂと第２脚部２４ｂとを接続する部分であり、中心角が９０度を超える弧を描くように形成されている。そのため、第２屈曲部２３ｂの下端に第２脚部２４ｂを直接に接続すると、該第２脚部２４ｂの軸心を第２腕部２１ｂの軸心に対して直交させることができない。そこで、第２屈曲部２３ｂの下端には、該第２屈曲部２３ｂと逆方向に屈曲する逆屈曲部２３ｃが接続され、該逆屈曲部２３ｃに第２脚部２４ｂが接続されるようになっている。これにより、第２腕部２１ｂと第２脚部２４ｂとは、第２屈曲部２３ｂ及び逆屈曲部２３ｃを介して、軸線が互いに直交するように接続され、第２脚部２４ｂは、基板４１と垂直な方向に延在する。なお、第２脚部２４ｂは、第１脚部２４ａよりも前方、すなわち、嵌合開口１２寄りに位置する。
【００２７】
また、第２屈曲部２３ｂと逆屈曲部２３ｃとを併せた部分は、図２に示されるように、概略逆Ｓ字状、又は、クェッションマーク（？）のような側面形状を有する。このように、第２腕部２１ｂと第２脚部２４ｂとを第２屈曲部２３ｂ及び逆屈曲部２３ｃを介して接続することによって、第１屈曲部２３ａのような中心角が９０度の弧を描くように形成された屈曲部を介して接続する場合と比較して、第２脚部２４ｂをより前方に、すなわち、嵌合開口１２により近い位置に配設することができる。
【００２８】
そして、第２脚部２４ｂは基板４１に形成された接続孔としての第２スルーホール４１ｂに挿入されて貫通する。なお、第２脚部２４ｂが第１脚部２４ａよりも短いので、該第１脚部２４ａでは下端部が第１スルーホール４１ａに挿入されるのに対し、第２脚部２４ｂでは上端縁の直下の部分から第２スルーホール４１ｂに挿入されて貫通する。該第２スルーホール４１ｂは、第２脚部２４ｂの配列に対応した配列で、基板４１に形成され、図示されない導電トレースと電気的に接続されている。そして、第２脚部２４ｂは、第２スルーホール４１ｂを貫通した状態ではんだ付され、基板４１に形成された導電トレースと電気的に接続する基板接続部として機能する。さらに、第２脚部２４ｂが第２スルーホール４１ｂにはんだ付されることによって、基板用コネクタ１０が基板４１に固定される。
【００２９】
また、前記ハウジング１１は、端子圧入部１６の後面から後方に向けて突出するように一体的に形成された第１整列支持部１５ａ及び第２整列支持部１５ｂを有する。第１整列支持部１５ａは、その後端（図２における右端）が櫛（くし）歯状になっていて、各歯間に第１腕部２１ａの上端部を挟込むことによって、第１腕部２１ａを整列させる。また、第２整列支持部１５ｂは、その後端（図２における右端）が櫛歯状になっていて、各歯間に第２屈曲部２３ｂを挟込むことによって、第２腕部２１ｂを整列させる。なお、第１整列支持部１５ａ及び第２整列支持部１５ｂを統合的に説明する場合には、整列支持部１５として説明する。
【００３０】
さらに、前記ハウジング１１は、長手方向（図２における図面に対して垂直な方向）両端において端子圧入部１６の後面から反嵌合側、すなわち、後方に延在するように一体的に形成された側壁部１３を有する。該側壁部１３の外側面は、ハウジング１１の長手方向両側の側面とほぼ同一面を形成する。また、側壁部１３の下面は基板４１の上面と平行であり、該上面に当接する。さらに、側壁部１３が第１腕部２１ａ及び第１整列支持部１５ａよりも後方に突出しているので、側壁部１３の反嵌合側の後端縁は、第１脚部２４ａ及び第１スルーホール４１ａよりも、ハウジング１１の嵌合側端面から離れた位置で基板４１の上面に当接する。
【００３１】
さらに、前記ハウジング１１は、上端において端子圧入部１６の後面から反嵌合側に延在するように一体的に形成された庇部１８を有する。該庇部１８の上面は、ハウジング１１の上面とほぼ同一面を形成する。また、庇部１８の上面は基板４１の上面と平行であり、不正防止用板部材としての不正防止用カバー４２が載置される。該不正防止用カバー４２は、主として、ハウジング１１の端子圧入部１６と基板４１との間で露出している端子２０にプローブを接触させる不正行為を防止するものである。
【００３２】
近年、遊技機器を不正に操作するために、該遊技機器の回路基板に接続されているコネクタの端子にプローブを接触させて遊技機器の信号回路に不正信号を流す行為が行われている。この場合、回路基板に実装されたコネクタと回路基板との間からプローブを差込み、コネクタから突出する端子にプローブを接触させることが多い。そこで、このような不正行為を防止するために、コネクタが実装された回路基板の上方にシート状又は板状の樹脂製の不正防止用カバーを取付けることが提案されている。該不正防止用カバーで回路基板の上方を覆うことによって、コネクタと回路基板表面との間からプローブを差込むことを防止することができる。
【００３３】
本実施の形態における基板用コネクタ１０は、遊技機器にも使用されるものである。そのため、基板用コネクタ１０のハウジング１１に庇部１８を形成し、該庇部１８は、基板４１と平行であり、不正防止用カバー４２を載置することができるようになっている。これにより、端子圧入部１６の後面から基板４１までの間で露出している端子２０の上方が、庇部１８及び不正防止用カバー４２によって覆われるので、不正行為を確実に防止することができる。なお、不正防止用カバー４２は、図２以外の図面において、図示が省略されている。
【００３４】
また、前記相手側コネクタ３０は、レセプタクルコネクタであって、合成樹脂等の絶縁性材料によって一体的に形成されたコネクタ本体としてのハウジング３１を有する。そして、該ハウジング３１は、概略直方体の箱状の形状を有し、さらに、断面が格子状となるように組合された板状の仕切部材３４によって仕切られた複数の端子収容孔３４ａを内部に有する。該端子収容孔３４ａは、ハウジング３１の図２における左端から右端まで連通する断面が矩（く）形の連通孔であり、芯線３２の端部に接続された芯線用端子３３を収容する。なお、該芯線用端子３３は、端子収容孔３４ａと係合し、抜出し不能に収容されることが望ましい。そして、前記芯線用端子３３は、基板用コネクタ１０の端子２０と同様に配列され、対応する端子２０と接続される。なお、必ずしもすべての端子収容孔３４ａに芯線用端子３３が嵌込まれる必要はなく、基板用コネクタ１０の端子２０の配列に対応させて、芯線用端子３３を適宜省略することができる。
【００３５】
さらに、前記ハウジング３１の一側面の上縁近傍には、基板用コネクタ１０の係合用膨出部１４と係合して基板用コネクタ１０にロックされた状態となるためのロック部材としての係合用腕部３５が一体的に形成されている。該係合用腕部３５は、一端が自由端になっているカンチレバー状の部材であり、前記係合用膨出部１４の係合用開口部１４ａと係合するための一体的に形成された係合用突起部３５ａを備える。
【００３６】
そして、図２に示されるように、基板用コネクタ１０と相手側コネクタ３０とが嵌合した状態では、該相手側コネクタ３０のハウジング３１の大部分は基板用コネクタ１０のハウジング１１内に挿入されて収容された状態となり、係合用腕部３５も係合用膨出部１４内に収容された状態で係合用突起部３５ａが係合用開口部１４ａと係合してロックされる。すなわち、基板用コネクタ１０に挿入される相手側コネクタ３０のロック部材が基板用コネクタ１０のロック部材の内部に挿入されてロックされるインナーロック式の嵌合が行われる。そのため、相手側コネクタ３０をオペレータが手指等によって操作して基板用コネクタ１０に嵌合させる際に、係合用突起部３５ａが係合用開口部１４ａと係合してロックされたことによるクリック感をオペレータは十分に感じることができる。また、外方からの目視によって係合用突起部３５ａが係合用開口部１４ａ内に位置することを確認することができるので、相手側コネクタ３０が基板用コネクタ１０に確実に嵌合されてロックされたことを容易に確認することができる。
【００３７】
次に、前記相手側コネクタ３０を基板用コネクタ１０に嵌合する動作について説明する。
【００３８】
図３は本発明の実施の形態における基板用コネクタ及び相手側コネクタの嵌合する前の状態を示す斜視図、図４は本発明の実施の形態における基板用コネクタ及び相手側コネクタの嵌合した状態を示す斜視図である。
【００３９】
相手側コネクタ３０を基板４１に実装された基板用コネクタ１０に嵌合する場合には、相手側コネクタ３０をオペレータが手指等によって操作して、図３に示されるように、相手側コネクタ３０の嵌合側端面が真横を向くようにして、基板用コネクタ１０の真横に位置させる。なお、図３及び４においては、基板４１の図示が省略されている。また、係合用腕部３５の形成された側面が基板用コネクタ１０における係合用膨出部１４の形成された側面と同一方向を向くように、相手側コネクタ３０の向きが調整される。そして、相手側コネクタ３０を真横方向に移動させ、該相手側コネクタ３０を基板用コネクタ１０のハウジング１１内に挿入し、図４に示されるように、相手側コネクタ３０を基板用コネクタ１０に嵌合させる。
【００４０】
この際、相手側コネクタ３０の係合用腕部３５は基板用コネクタ１０の係合用膨出部１４内に挿入される。そして、係合用突起部３５ａが係合用開口部１４ａと係合してロックされたことによるクリック感をオペレータは十分に感じることができる。また、外方からの目視によって係合用突起部３５ａが係合用開口部１４ａ内に位置することを確認することができるので、相手側コネクタ３０が基板用コネクタ１０に確実に嵌合されてロックされたことを容易に確認することができる。
【００４１】
このように、本実施の形態において、第１端子２０ａ及び第２端子２０ｂは、ハウジング１１に保持され、相手側コネクタ３０の芯線用端子３３と接触する第１腕部２１ａ及び第２腕部２１ｂ、基板４１の第１スルーホール４１ａ及び第２スルーホール４１ｂに挿入される第１脚部２４ａ及び第２脚部２４ｂ、並びに、第１腕部２１ａ及び第２腕部２１ｂと第１脚部２４ａ及び第２脚部２４ｂとを接続する第１屈曲部２３ａ及び第２屈曲部２３ｂを備え、第１屈曲部２３ａは中心角が９０度の弧を描くように形成され、第２屈曲部２３ｂは中心角が９０度を超える弧を描くように形成される。
【００４２】
これにより、第１屈曲部２３ａのような中心角が９０度の弧を描くように形成された屈曲部を介して接続する場合と比較して、第２脚部２４ｂをより前方に、すなわち、嵌合開口１２により近い位置に配設することができる。そのため、基板用コネクタ１０の実装面積を小さくするために、前後長を短くしても、第１脚部２４ａと第２脚部２４ｂとの間隔を広くし、第２脚部２４ｂを嵌合開口１２に近い位置に配設することができる。したがって、例えば、基板用コネクタ１０に嵌合されている相手側コネクタ３０のケーブルが引張られた場合のように、ハウジング１１の嵌合端が上向きの外力を受けた場合でも、第２脚部２４ｂがハウジング１１の嵌合端に近い位置で基板４１に固定されているので、第２端子２０ｂが曲がったり、ハウジング１１の嵌合端が浮上がったりしてしまうことがない。
【００４３】
また、第２脚部２４ｂを嵌合開口１２により近い位置に配設するために、第２突刺部２２ｂ及び第２端子嵌入孔１７ｂの長さを短くしなくてもよいので、第２端子２０ｂを保持する保持力が低下することがない。そのため、第２端子２０ｂの抜差し強度を維持することができる。さらに、基板用コネクタ１０を小型化しても第１脚部２４ａと第２脚部２４ｂとの間隔を広くすることができるので、はんだ付等の技術的な制約から第１スルーホール４１ａと第２スルーホール４１ｂとの間隔を短くすることができない基板４１にも実装することができる。
【００４４】
また、ハウジング１１は、反嵌合側に延在する側壁部１３を備え、該側壁部１３の反嵌合側の下端は、第１脚部２４ａよりも、ハウジング１１の嵌合側端面から離れた位置で基板４１の上面に当接する。そのため、ハウジング１１の嵌合端が上向きの外力を受けた場合でも、側壁部１３の反嵌合側の下端から第１脚部２４ａ及び第２脚部２４ｂと第１スルーホール４１ａ及び第２スルーホール４１ｂとのはんだ付部までの距離が長いので、はんだ付部が大きな応力を受けることがなく、はんだクラックの発生を防止することができる。
【００４５】
さらに、ハウジング１１は、反嵌合側に延在する庇部１８を備え、該庇部１８に不正防止用カバー４２が載置される。そのため、ハウジング１１の端子圧入部１６と基板４１との間で露出している端子２０にプローブを接触させる不正行為を確実に防止することができる。
【００４６】
なお、本実施の形態においては、端子２０が第１端子２０ａ及び第２端子２０ｂの２種類である場合についてのみ説明したが、端子２０は３種類以上であってもよい。
【００４７】
また、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の実施の形態における基板用コネクタを示す斜視図である。
【図２】本発明の実施の形態における基板用コネクタを示す短手方向断面図であり相手側コネクタと嵌合した状態を示す断面図である。
【図３】本発明の実施の形態における基板用コネクタ及び相手側コネクタの嵌合する前の状態を示す斜視図である。
【図４】本発明の実施の形態における基板用コネクタ及び相手側コネクタの嵌合した状態を示す斜視図である。
【図５】従来の基板用コネクタを示す図である。
【符号の説明】
【００４９】
１０    基板用コネクタ
１１、３１    ハウジング
１２    嵌合開口
１３    側壁部
１４    係合用膨出部
１４ａ    係合用開口部
１５ａ    第１整列支持部
１５ｂ    第２整列支持部
１６    端子圧入部
１７ａ    第１端子嵌入孔
１７ｂ    第２端子嵌入孔
１８    庇部
２０ａ    第１端子
２０ｂ    第２端子
２１ａ    第１腕部
２１ｂ    第２腕部
２２ａ    第１突刺部
２２ｂ    第２突刺部
２３ａ    第１屈曲部
２３ｂ    第２屈曲部
２３ｃ    逆屈曲部
２４ａ    第１脚部
２４ｂ    第２脚部
３０    相手側コネクタ
３２    芯線
３３    芯線用端子
３４    仕切部材
３４ａ    端子収容孔
３５    係合用腕部
３５ａ    係合用突起部
４１    基板
４１ａ    第１スルーホール
４１ｂ    第２スルーホール
４２    不正防止用カバー
３０２、３０３    端子
３０２ａ、３０３ａ    屈曲部
３０４    コネクタハウジング
３０５    回路基板
３０６、３０７    スルーホール
【図１】
0004578377.tif 000002
【図２】
0004578377.tif 000003
【図３】
0004578377.tif 000004
【図４】
0004578377.tif 000005
【図５】
0004578377.tif 000006